(57)【要約】【課題】カムスライダーと受圧ピンとの摩擦を大幅に低減せしめて、原稿圧着板の「浮き」現象を効果的に改善したり、ヒンジ軸の回動摩擦抵抗を低減することができる原稿圧着板の開閉装置を提供する。【解決手段】複写機等の装置本体に取り付けられる取付部材と、取付部材に回動自在に枢着される支持アームと、支持アームの先端部に回動自在に枢着されると共に原稿圧着板を取り付けるリフトアームと、支持アーム内に摺動自在に設けられる一対の第１および第２スライダーと、これら第１および第２スライダー間に設けられて第１スライダーをリフトアームと共に回動する作動ピンに弾性的に押圧すると同時に、第２スライダーのカム部を取付部材に軸架される受圧ピンを弾性的に押圧する圧縮スプリングから成り、受圧ピンおよび／またはヒンジ軸をベアリング軸受けおよび／または滑り軸受により軸架せしめる。【選択図】  図３
2010152350.tif 000002
【特許請求の範囲】
【請求項１】
複写機等の装置本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、上記支持アーム内に摺動自在に設けられる一対の第１および第２スライダーと、これら第１および第２スライダー間に設けられて上記第１スライダーを上記リフトアームと共に回動する作動ピンに弾性的に押圧すると同時に、上記第２スライダーのカム部を上記取付部材に軸架される受圧ピンを弾性的に押圧する圧縮スプリングと、から成る原稿圧着板の開閉装置において、上記受圧ピンおよび／またはヒンジ軸をベアリング軸受けおよび／または滑り軸受により軸架せしめたことを特徴とする原稿圧着板の開閉装置。
【請求項２】
上記ベアリング軸受けが、ボールベアリング軸受けであることを特徴とする請求項１に記載の原稿圧着板の開閉装置。
【請求項３】
上記滑り軸受がオイル含浸樹脂により形成されていることを特徴とする請求項１に記載の原稿圧着板の開閉装置。
【請求項４】
上記受圧ピンにローラーを回転自在に外挿したことを特徴とする請求項１、２または３に記載の原稿圧着板の開閉装置。
【請求項５】
上記第２スライダーの上記カム部と上記受圧ピンまたは上記ローラーの間に潤滑剤を塗布することを特徴とする請求項１、２、３または４に記載の原稿圧着板の開閉装置。
【請求項６】
上記受圧ピンまたは上記ヒンジ軸の接触面あるいは上記滑り軸受の接触面に油溝を形成し、該油溝にグリス等の潤滑剤を保持せしめることを特徴とする請求項１、２、３、４または５に記載の原稿圧着板の開閉装置。
【発明の詳細な説明】
【技術分野】
【０００１】
本発明は、複写機、ファクシミリ、スキャナ、或いはそれらの複合機などにおける原稿圧着板の開閉装置に関するものである。
【背景技術】
【０００２】
従来の原稿圧着板の開閉装置としては、複写機等の装置本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、上記支持アーム内に摺動自在に設けられる一対の第１および第２スライダーと、これら第１および第２スライダー間に設けられて上記第１スライダーを上記リフトアームと共に回動する作動ピンに弾性的に押圧すると同時に、上記第２スライダーのカム部を上記取付部材に軸架される受圧ピンに回転自在に外挿されたローラーを弾性的に押圧する圧縮スプリングと、から構成される、薄い原稿を押さえる際には、前記圧縮スプリングの弾発力により上記支持アームとリフトアームを重ねた状態で原稿圧着板を閉じる方向に作動させ、一方、厚い原稿を押さえる際には、前記圧縮スプリングの弾発力に抗して上記リフトアームを上記支持アームに対して回動させて、上記原稿圧着板により厚い原稿全体を押さえ付けるように作動させるものがある。（例えば、特許文献１参照）
【０００３】
しかしながら、上記第２スライダーのカム部（カムスライダーとも称する）と上記受圧ピンのローラーとの摩擦が大きく、原稿圧着板の「浮き」現象が生じるという問題点があった。また、上記ヒンジ軸においても、回動摩擦抵抗が大きかった。
【先行技術文献】
【特許文献】
【０００４】
【特許文献１】特開２０００−１８０９９３号公報
【発明の概要】
【発明が解決しようとする課題】
【０００５】
本発明が解決しようとする課題は、カムスライダーと受圧ピンとの摩擦を大幅に低減せしめて、原稿圧着板の「浮き」現象を効果的に改善したり、ヒンジ軸の回動摩擦抵抗を低減することができる原稿圧着板の開閉装置を提供することにある。
【課題を解決するための手段】
【０００６】
本発明の原稿圧着板の開閉装置は、複写機等の装置本体に取り付けられる取付部材と、該取付部材にヒンジ軸を介して回動自在に枢着される支持アームと、該支持アームの先端部に支軸を介し該支持アームと重なる方向に回動自在に枢着されると共に原稿圧着板を取り付けるリフトアームと、上記支持アーム内に摺動自在に設けられる一対の第１および第２スライダーと、これら第１および第２スライダー間に設けられて上記第１スライダーを上記リフトアームと共に回動する作動ピンに弾性的に押圧すると同時に、上記第２スライダーのカム部を上記取付部材に軸架される受圧ピンを弾性的に押圧する圧縮スプリングと、から成る原稿圧着板の開閉装置において、上記受圧ピンおよび／またはヒンジ軸をベアリング軸受けおよび／または滑り軸受により軸架せしめたことを特徴とする。また、上記ベアリング軸受けが、ボールベアリング軸受けであることを特徴とする。さらに、上記滑り軸受がオイル含浸樹脂により形成されていることを特徴とする。また更に、上記受圧ピンにローラーを回転自在に外挿したことを特徴とする。更に又、上記受圧ピンまたはヒンジ軸の接触面に油溝を形成したり、これらの滑り軸受けの接触面に油溝を形成することを特徴とする。
【発明の効果】
【０００７】
本発明の原稿圧着板の開閉装置は、カムスライダーと受圧ピンとの摩擦を大幅に低減せしめて、原稿圧着板の「浮き」現象を効果的に改善したり、ヒンジ軸の回動摩擦抵抗を低減することができる利点がある。
【図面の簡単な説明】
【０００８】
【図１】本発明の原稿圧着板の開閉装置の１実施例を示す外観図である。
【図２】図１の装置のリフトアームを取り外すと共に支持部材を透視的に示した構成説明図である。
【図３】図２の透明の支持アームを取り外すと共に第１スライダーを透視的に示して圧縮スプリングの組み付け状態を示した構成説明図である。
【図４】本発明の別の実施例を示す要部断面図である。
【図５】受圧ピンやヒンジ軸の接触面に油溝を形成した実施例の要部斜視図である。
【図６】滑り軸受の接触面に油溝を形成した実施例の要部斜視図である。
【発明を実施するための形態】
【０００９】
図１は、本発明装置の１実施例を示す外観図であって、１は取付部材、２は支持アーム、３はリフトアームである。
【００１０】
上記取付部材１の両側片１ａには、ヒンジ軸１ｂを介して、上記支持アーム２の両側片２ａが回動自在に取り付けられている。
【００１１】
上記支持アーム２の先端部の上記両側片２ａには、支軸２ｂを介して、上記リフトアーム３が回動自在に取り付けられている。
【００１２】
上記リフトアーム３は、上記支持アーム２と重なる方向に回動自在に枢着される。該リフトアーム３の取付片３ａには、原稿圧着板（図示せず）が一体的に取り付けられる。
【００１３】
図２から明らかなように、上記支持アーム２内には、第１スライダー４および第２スライダー５が摺動自在に設けられている。
【００１４】
図３から明らかなように、上記第１スライダー４および第２スライダー５間には、圧縮スプリング６が収容されていて、上記第１スライダー４を作動ピン３ｂに弾性的に押圧するようになっている。該作動ピン３ｂは上記リフトアーム３と共に回動するように設けられている。
【００１５】
また、上記圧縮スプリング６は、上記第２スライダー５を弾性的に押圧しているため、該第２スライダー５のカム部５ａを受圧ピン７に弾性的に押圧している。
【００１６】
上記受圧ピン７は、ボールベアリング８により、上記取付部材１の両側片１ａに回動自在に取り付けられている。上記受圧ピン７には、窒化処理などの硬化処理を施して、表面を硬化させるのが好ましい。
【００１７】
上記ボールベアリング８は、図４に示すように、滑り軸受９に代えてもよい。この場合、少なくとも、上記受圧ピン７との滑り接触部分の材料は、オイル含浸樹脂にするのが好ましい。また、図５に示すように、上記受圧ピン７の接触面に油溝７ａを形成したり、図６に示すように、滑り軸受９の接触面に油溝９ａを形成し、これら油溝７ａ、９ａにグリス等の潤滑剤が安定して保持されるようにしても良い。さらに、上記滑り軸受９の接触幅Ａを出来るだけ大きくして、接触圧の低減を図るのが好ましい。
【００１８】
上記油溝７ａ、９ａは上記受圧ピン７やその滑り軸受９の接触面に形成したが、本発明は、これに限定するものではなく、図５および図６に示すように、ヒンジ軸１ｂあるいはその軸受けに同じような油溝を形成して、潤滑剤を保持させるようにしてもよい。また、ヒンジ軸１ｂは、上記滑り軸受により支持する他に、ベアリング軸受けにより回動自在に支持せしめてもよい。
【００１９】
なお、上記受圧ピン７にローラーを外挿させて、該ローラーを上記カム部５ａに当接せしめるように構成してもよい。
【００２０】
また、上記カム部５ａと受圧ピン７あるいは上記ローラーの間に、グリス等の潤滑剤を塗布してもよい。
【符号の説明】
【００２１】
１    取付部材
１ａ  両側片
１ｂ  ヒンジ軸
２    支持アーム
２ａ  両側片
２ｂ  支軸
３    リフトアーム
３ａ  取付片
３ｂ  作動ピン
４    第１スライダー
５    第２スライダー
５ａ  カム部
６    圧縮スプリング
７    受圧ピン
７ａ  油溝
８    ボールベアリング
９    滑り軸受
９ａ  油溝
【図１】
2010152350.tif 000003
【図２】
2010152350.tif 000004
【図３】
2010152350.tif 000005
【図４】
2010152350.tif 000006
【図５】
2010152350.tif 000007
【図６】
2010152350.tif 000008